(57)【特許請求の範囲】
【請求項１】
互いに対向して配置された第１及び第２側板と、
前記第１側板から前記第２側板に向けて延出する複数段の第１延出部と、
前記第２側板から前記第１側板に向けて延出する複数段の第２延出部と、
同一の段の前記第１及び第２延出部を相互固定することにより、前記第１及び第２側板の対向距離を複数の距離のなかから選択された距離で位置決めする固定部材と、
を有し、
前記固定部材は、前記第１及び第２延出部に挿通されることにより前記第１及び第２延出部を相互固定する棒状部を有し、
前記第１及び第２延出部の各々には、複数の孔部が形成され、
前記第１及び第２側板の対向距離が前記複数の距離の中から選択された距離で位置決めされた状態で、前記第１延出部の何れかの前記孔部と前記第２延出部の何れかの前記孔部とが同軸上に位置し、これら孔部に前記棒状部を挿通可能となることを特徴とする商品陳列棚。
【請求項２】
前記第１延出部の各段と、前記第２延出部の各段とは、同一の高さに位置し、
前記第１及び第２延出部は、それぞれ櫛歯状に形成され、
前記第１延出部の個々の櫛歯部と前記第２延出部の個々の櫛歯部とが前後方向において交互に位置していることを特徴とする請求項１に記載の商品陳列棚。
【請求項３】
前記第１及び第２側板の対向距離を変化させる際に、前記第１及び前記第２延出部の隣り合う前記櫛歯部どうしが摺動することを特徴とする請求項２に記載の商品陳列棚。
【請求項４】
前記棒状部は、前記第１及び第２延出部に対して前後方向に挿通されることを特徴とする請求項１乃至３の何れか一項に記載の商品陳列棚。
【請求項５】
前記第１及び第２延出部がそれぞれ板状に形成されていることを特徴とする請求項１乃至４の何れか一項に記載の商品陳列棚。
【請求項６】
各段の前記第１及び第２延出部毎に、複数本の前記棒状部を有し、
横方向に離間した複数の位置で、それぞれ前記棒状部を前記第１及び第２延出部に挿通可能であることを特徴とする請求項１乃至５の何れか一項に記載の商品陳列棚。
【発明の詳細な説明】
【技術分野】
【０００１】
本発明は、横幅を変更可能な商品陳列棚に関する。
【背景技術】
【０００２】
コンビニエンスストアなどの店舗では、様々な商品がいわゆる什器（商品陳列棚）に陳列されている。
【０００３】
多様な商品のうち、例えばたばこ商品などの特定の商品を陳列するための什器は、電子キャッシュレジスタなどの販売処理装置が載置されたレジカウンタ上又はその周辺に配置されることが一般的である。
【０００４】
なお、ここで云うたばこ商品とは、実際に喫煙される紙巻たばこではなく、複数の紙巻たばこを収容している直方体状のパッケージを意味している。
【０００５】
ところで、コンビニエンスストアなどの店舗のレジカウンタ上又はその周辺において商品を陳列可能なスペースは、店舗毎に異なり、また季節毎の商品サイクルに応じても変動する。このため、商品陳列棚には、商品の陳列スペースの大きさを必要に応じて容易に変更できることが望まれる。
【０００６】
特許文献１には、側板と分割底板とをそれぞれ有する左トレイ半体と右トレイ半体とを備え、これらトレイ半体の分割底板どうしを左右の側板の間隔を変化させる方向にスライド可能に結合した構成の商品陳列棚（タバコ陳列システムケース）が記載されている。この商品陳列棚には、左右の側板の間隔が特定の間隔のときに働くクリックストップ機構が設けられている。このクリックストップ機構は、一方の分割底板に一体に形成された弾性片と、この弾性片に設けられた突起と、他方の分割底板に形成されこの突起が嵌合離脱しうるクリック穴と、からなる。
【先行技術文献】
【特許文献】
【０００７】
【特許文献１】登録実用新案３１６３７０８号公報
【発明の概要】
【発明が解決しようとする課題】
【０００８】
特許文献１の技術では、商品陳列棚の横幅の変更操作は、商品陳列棚の各段のクリックストップ機構の突起とクリック穴とを離脱させてから行う必要がある。このため、商品陳列棚の横幅を変更する操作の操作性が悪い。
【０００９】
本発明は、上述のような課題に鑑みてなされたものであり、商品陳列棚の横幅を変更する操作の操作性が良い商品陳列棚を提供する。
【課題を解決するための手段】
【００１０】
本発明は、互いに対向して配置された第１及び第２側板と、
前記第１側板から前記第２側板に向けて延出する複数段の第１延出部と、
前記第２側板から前記第１側板に向けて延出する複数段の第２延出部と、
同一の段の前記第１及び第２延出部を相互固定することにより、前記第１及び第２側板の対向距離を複数の距離のなかから選択された距離で位置決めする固定部材と、
を有し、
前記固定部材は、前記第１及び第２延出部に挿通されることにより前記第１及び第２延出部を相互固定する棒状部を有し、
前記第１及び第２延出部の各々には、複数の孔部が形成され、
前記第１及び第２側板の対向距離が前記複数の距離の中から選択された距離で位置決めされた状態で、前記第１延出部の何れかの前記孔部と前記第２延出部の何れかの前記孔部とが同軸上に位置し、これら孔部に前記棒状部を挿通可能となることを特徴とする商品陳列棚を提供する。
【００１１】
この商品陳列棚によれば、固定部材によって同一の段の第１及び第２延出部を相互固定することにより、第１及び第２側板の対向距離を複数の距離のなかから選択された距離で位置決めできるので、商品陳列棚の横幅（第１及び第２側板の対向距離）を容易に変更することができる。
また、棒状部を第１及び第２延出部に挿通することにより、容易に、第１及び第２延出部を相互固定することができる。
更に、棒状部を第１及び第２延出部から抜き取ることにより、容易に、第１及び第２延出部の相互固定状態を解除し、商品陳列棚の横幅の変更を行うことができる。つまり、商品陳列棚の横幅を変更する操作の操作性が良い。
【発明の効果】
【００１２】
本発明によれば、商品陳列棚の横幅を変更する操作の操作性を良好にすることができる。
【図面の簡単な説明】
【００１３】
【図１】実施形態に係る商品陳列棚を示す斜視図である。
【図２】実施形態に係る商品陳列棚の正面図である。
【図３】実施形態に係る商品陳列棚の側面図である。
【図４】実施形態に係る商品陳列棚の平面図である。
【図５】商品陳列棚の一対の構造体を示す平面図である。
【図６】商品陳列棚の固定ロッドを示す平面図である。
【図７】延出部の孔部を示す平面図である。
【図８】実施形態に係る商品陳列棚の平面図である。
【図９】実施形態に係る商品陳列棚の平面図である。
【図１０】実施形態に係る商品陳列棚の平面図である。
【図１１】図１０の状態と対応する商品陳列棚の斜視図である。
【図１２】商品陳列棚の前面化粧パネルを示す図である。
【図１３】変形例に係る商品陳列棚の孔部を示す平面図である。
【発明を実施するための形態】
【００１４】
以下、本発明の実施形態について、図面を用いて説明する。なお、すべての図面において、同様の構成要素には同一の符号を付し、適宜に説明を省略する。
【００１５】
〔第１の実施形態〕
図１は実施形態に係る商品陳列棚１００の斜視図、図２は商品陳列棚１００の正面図、図３は商品陳列棚１００の側面図である。図４は商品陳列棚１００の平面図であり、このうち図４（ａ）はマガジン４０を搭載していない状態を示し、図４（ｂ）はマガジン４０を搭載した状態を示す。図１乃至図４の各図は、商品陳列棚１００の横幅を最大（例えば、マガジン４０六つ分）に設定した状態を示す。図５は商品陳列棚１００の一対の構造体１、２を左右に分離させた状態を示す平面図である。図６は商品陳列棚１００の固定ロッド（固定部材）３０を示す平面図である。図７は延出部の孔部（例えば、延出部１０の孔部１５、１６、１７）を示す平面図である。図８乃至図１０は商品陳列棚１００の平面図であり、それぞれ異なる横幅に設定した状態を示す。すなわち、図８は横幅をマガジン４０五つ分に設定した状態を、図９は横幅をマガジン４０四つ分に設定した状態を、図１０は横幅をマガジン４０三つ分に設定した状態を、それぞれ示す。また、図８乃至図１０の各図において、（ａ）はマガジン４０を搭載していない状態を示し、（ｂ）はマガジン４０を搭載した状態を示す。図１１は図１０の状態と対応する商品陳列棚１００の斜視図である。
【００１６】
本実施形態に係る商品陳列棚１００は、互いに対向して配置された第１及び第２側板３、４と、第１側板３から第２側板４に向けて延出する複数段の第１延出部１０と、第２側板４から第１側板３に向けて延出する複数段の第２延出部２０と、同一の段の第１及び第２延出部１０、２０を相互固定することにより、第１及び第２側板３、４の対向距離を複数の距離のなかから選択された距離で位置決めする固定部材（固定ロッド３０）と、を有し、固定部材は、第１及び第２延出部１０、２０に挿通されることにより第１及び第２延出部１０、２０を相互固定する棒状部３１を有する。以下、詳細に説明する。
【００１７】
図１及び図２に示すように、商品陳列棚１００は、左右一対の構造体１、２を有している。
第１構造体１は、例えば、平板状の第１側板３を有し、第２構造体２も、例えば、平板状の第２側板４を有している。これら第１及び第２側板３、４は、それぞれ水平面に対して直交するように立設され、且つ、互いに対向して配置される。
第１構造体１は、第１側板３において第２側板４と対向する板面より、第２側板４側に向けて水平に延出する複数段の第１延出部１０を有している。
同様に、第２構造体２は、第２側板４において第１側板３と対向する板面より、第１側板３側に向けて水平に延出する複数段の第２延出部２０を有している。
第１及び第２延出部１０、２０は、例えば、それぞれ板状に形成されている。
第１及び第２延出部１０、２０の段数は任意であるが、本実施形態では、第１及び第２延出部１０、２０の段数がそれぞれ７段である例を示す。なお、第１延出部１０の段数と第２延出部２０の段数は互いに等しい。
そして、第１延出部１０の各段と、第２延出部２０の各段とは、同一の高さに位置している。
例えば、第１延出部１０の隣り合う段の上下間隔、並びに、第２延出部２０の隣り合う段の上下間隔は、一定間隔となっている。
【００１８】
固定ロッド３０によって、同一の段の第１延出部１０と第２延出部２０とが相互固定されることにより、これら第１延出部１０と第２延出部２０とにより１段の棚板が構成され、この棚板上にマガジン４０を好適に保持できる状態となる。
商品陳列棚１００においては、第１及び第２側板３、４の対向距離を必要に応じて調節することにより、１つの段の棚板上に横並びに搭載可能なマガジン４０の数を変更することができるようになっている。
【００１９】
ここで、マガジン４０は、上方に向けて開口する半筐体状に形成され、その内部に商品としてのたばこ商品６０を縦置きで前後に列をなすように複数個搭載可能となっている。マガジン４０は、図示しない押し板を備えている。この押し板は、最後列のたばこ商品６０の背面を手前側に付勢しており、最前列のたばこ商品６０がマガジン４０から取り出されると、残りのたばこ商品６０が押し板によって手前側に移動（前送り）されるようになっている。
【００２０】
図４（ａ）及び図５に示すように、第１延出部１０は、櫛歯状に形成されている。すなわち、第１延出部１０は、例えば、複数の櫛歯部１１と、これら櫛歯部１１の基端部を相互に連結する連結部１２と、を有している。櫛歯部１１及び連結部１２は、板状に形成され、互いに同一平面上に位置している。例えば、櫛歯部１１の平面形状は、矩形状であり、その長手方向は横方向である。各櫛歯部１１は、互いに平行に配置されている。例えば、各櫛歯部１１は、前後方向において、等間隔に配置されている。例えば、各櫛歯部１１の長手寸法（横方向寸法）は、互いに等しい。例えば、各櫛歯部１１の幅（前後方向における寸法）は、互いに等しい。例えば、連結部１２は、平面形状が矩形状であり、前後に長尺に形成され、各櫛歯部１１を片持ち式に保持している。
【００２１】
同様に、第２延出部２０は、櫛歯状に形成されている。すなわち、第２延出部２０は、例えば、複数の櫛歯部２１と、これら櫛歯部２１の基端部を相互に連結する連結部２２と、を有している。櫛歯部２１及び連結部２２は、板状に形成され、互いに同一平面上に位置している。例えば、櫛歯部２１の平面形状は、矩形状であり、その長手方向は横方向である。各櫛歯部２１は、互いに平行に配置されている。例えば、各櫛歯部２１は、前後方向において、等間隔に配置されている。例えば、各櫛歯部２１の長手寸法（横方向寸法）は、互いに等しい。例えば、各櫛歯部２１の幅（前後方向における寸法）は、互いに等しい。例えば、連結部２２は、平面形状が矩形状であり、前後に長尺に形成され、各櫛歯部２１を片持ち式に保持している。
【００２２】
例えば、櫛歯部１１の長手寸法と、櫛歯部２１の長手寸法とは互いに等しい。そして、商品陳列棚１００の横幅を最小にしたときに、各櫛歯部１１の先端部１１ａは連結部２２の側面２２ａに当接し、各櫛歯部２１の先端部２１ａは連結部１２の側面１２ａに当接する。
例えば、櫛歯部１１の数と櫛歯部２１の数とは互いに等しい。本実施形態では、例えば、櫛歯部１１及び櫛歯部２１が４本ずつである例を示しているが、櫛歯部１１、２１の数はその他の数であっても良い。
【００２３】
商品陳列棚１００の各段において、第１延出部１０の個々の櫛歯部１１と第２延出部２０の個々の櫛歯部２１とは前後方向において交互に位置している。
すなわち、前後方向に隣り合う櫛歯部１１どうしの間隔に、１つずつの櫛歯部２１が位置し、同様に、前後方向に隣り合う櫛歯部２１どうしの間隔に、１つずつの櫛歯部１１が位置するようになっている。
前後方向に隣り合う櫛歯部１１どうしの間隔は、櫛歯部２１の幅（前後方向における寸法）と等しく、前後方向に隣り合う櫛歯部２１どうしの間隔は、櫛歯部１１の幅（前後方向における寸法）と等しい。
このため、第１及び第２構造体１、２を相互に横方向に移動させて第１及び第２側板３、４の対向距離を変化させる際に、隣り合う櫛歯部１１と櫛歯部２１とが互いに摺動するようになっている。
【００２４】
図６に示すように、固定ロッド３０は、例えば、第１延出部１０の櫛歯部１１と第２延出部２０の櫛歯部２１とに挿通される棒状部３１と、棒状部３１の基端部に固定され、固定ロッド３０の抜き差しの際にオペレータにより保持されるハンドル部３２と、棒状部３１の周囲に設けられた圧入固定部３３と、を有している。
棒状部３１は直線状に延在する棒状のものである。棒状部３１は、例えば、断面円形であるが、その他の断面形状であっても良い。この棒状部３１は、同一の段の第１及び第２延出部１０、２０に対して、例えば前後方向に挿通され、それらを横方向において相互に位置決めする。
ハンドル部３２は、棒状部３１よりも大径に形成され、オペレータが手で保持しやすく、且つ、固定ロッド３０の差し込み操作及び抜き取り操作を行いやすくなっている。
圧入固定部３３は、例えば、ゴムなどの弾性体により構成されている。
本実施形態の場合、商品陳列棚１００は、例えば、各段の第１及び第２延出部１０、２０毎に、複数本（例えば２本）の固定ロッド３０を有している。そして、横方向に離間した複数の位置で、それぞれ棒状部３１を第１及び第２延出部１０、２０に挿通可能となっている。具体的には、本実施形態の場合、第１及び第２延出部１０、２０が例えば６段ずつであるため、商品陳列棚１００は、６×２＝１２本の固定ロッド３０を有している。
なお、棒状部３１の先端部は、テーパー状に先細りする形状に形成され、棒状部３１を第１延出部１０又は第２延出部２０に挿入しやすくなっている。
【００２５】
図４（ａ）及び図５に示すように、第１延出部１０及び第２延出部２０の各々には、複数の孔部が形成されている。
例えば、第１延出部１０の各櫛歯部１１には、それぞれ先端側から順に、孔部１５、１６、１７、１８、１９の合計５つの孔部が形成されている。
同様に、例えば、第２延出部２０の各櫛歯部２１には、それぞれ先端側から順に、孔部２５、２６、２７、２８、２９の合計５つの孔部が形成されている。
例えば、孔部１５〜１９は、各櫛歯部１１を前後方向に貫通し、孔部２５〜２９は各櫛歯部２１を前後方向に貫通している。
例えば、孔部１６〜１９は、横方向に一定間隔で配置され、同様に、孔部２６〜２９は、横方向に一定間隔で配置されている。隣り合う孔部１６〜１９どうしの間隔と、隣り合う孔部２６〜２９どうしの間隔は、互いに等しく設定されている。
また、横方向における孔部１５と孔部１６との間隔と、横方向における孔部２５と孔部２６との間隔とは、互いに等しく設定されている。
【００２６】
各櫛歯部１１の孔部１５は、前後方向において同軸上に位置している。同様に、各櫛歯部１１の孔部１６は前後方向において同軸上に位置し、各櫛歯部１１の孔部１７は前後方向において同軸上に位置し、各櫛歯部１１の孔部１８は前後方向において同軸上に位置し、各櫛歯部１１の孔部１９は前後方向において同軸上に位置している。
同様に、各櫛歯部２１の孔部２５は、前後方向において同軸上に位置し、各櫛歯部２１の孔部２６は前後方向において同軸上に位置し、各櫛歯部２１の孔部２７は前後方向において同軸上に位置し、各櫛歯部２１の孔部２８は前後方向において同軸上に位置し、各櫛歯部２１の孔部２９は前後方向において同軸上に位置している。
なお、櫛歯部１１、２１に形成される孔部の数は、調整可能な横幅の選択肢の数に応じて適宜変更される。
孔部１５〜１９、２５〜２９は、例えば、断面円形であるが、その他の断面形状であっても良い。孔部１５〜１９、２５〜２９の内径は互いに等しい。
【００２７】
図７に示すように、孔部１５〜１９、２５〜２９の後端部７１は、その後端から前端に向けて縮径するテーパー状に形成され、固定ロッド３０の棒状部３１を孔部１５〜１９、２５〜２９内に導入しやすくなっている。孔部１５〜１９、２５〜２９の後端部７１以外の部分を構成する孔本体７２は、（例えば前後方向に）直線状に延在している。孔本体７２の内径は、棒状部３１を内部に挿通可能な寸法に設定されている。また、固定ロッド３０の圧入固定部３３の外径は、孔本体７２の内径よりも大きく設定され、圧入固定部３３を孔本体７２の基端部に圧入固定することにより、固定ロッド３０を孔本体７２から脱落しにくくすることができる。ただし、圧入固定部３３を孔本体７２に圧入固定した状態でも、固定ロッド３０の抜き取り方向に適切な力を加えることにより、孔本体７２から固定ロッド３０を抜き取ることが可能である。
【００２８】
商品陳列棚１００においては、第１及び第２側板３、４の対向距離が予め定められた複数の距離のそれぞれの距離となった状態で、第１延出部１０の何れかの孔部と第２延出部２０の何れかの孔部とが同軸上に位置し、これら孔部に棒状部３１を挿通可能となる。
【００２９】
具体的には、例えば、図４（ｂ）に示すように、第１及び第２側板３、４との間に６つのマガジン４０を横並びで配置できるように第１及び第２側板３、４の対向距離を調整した状態では、図４（ａ）に示すように、同一の段の各孔部１５が各孔部２６と同軸上に位置するとともに、同一の段の各孔部１６が各孔部２５と同軸上に位置する。ここで、各孔部１５及び各孔部２６により前後方向に形成される列と、各孔部１６及び各孔部２５により前後方向に形成される列とは、横方向に離間している。そして、孔部１５、２６に１つの固定ロッド３０の棒状部３１を挿通し、孔部１６、２５に他の１つの固定ロッド３０の棒状部３１を挿通することができる。このように例えば２本の固定ロッド３０を用いて一対の第１延出部１０と第２延出部２０とを相互固定し、一対の第１及び第２延出部１０、２０により１段の棚板を構成することができる。同様のオペレーションを各段毎に行うことにより、本実施形態の場合、７段の棚板を構成することができる。この場合、各段毎に、６つまでのマガジン４０を横並びに搭載することができる。なお、例えば、図１及び図２に示すように最上段の第１及び第２延出部２０よりも上方の側方には第１及び第２側板３、４が存在しないため、最上段の第１及び第２延出部２０は、棚板として用いないようにしても良い。
【００３０】
商品陳列棚１００の横幅を変更する場合は、各段の固定ロッド３０を抜き取った後で、第１及び第２側板３、４の対向距離を所望の対向間隔に調整し、再度、各段毎に、例えば２本ずつの固定ロッド３０を用いて第１及び第２延出部１０、２０を相互固定する。
【００３１】
例えば、図８（ｂ）に示すように、第１及び第２側板３、４との間に５つのマガジン４０を横並びで配置できるように第１及び第２側板３、４の対向距離を調整した状態では、図８（ａ）に示すように、同一の段の各孔部１５が各孔部２７と同軸上に位置するとともに、同一の段の各孔部１７が各孔部２５と同軸上に位置する。ここで、各孔部１５及び各孔部２７により前後方向に形成される列と、各孔部１７及び各孔部２５により前後方向に形成される列とは、横方向に離間している。そして、孔部１５、２７に１つの固定ロッド３０の棒状部３１を挿通し、孔部１７、２５に他の１つの固定ロッド３０の棒状部３１を挿通することができる。このように例えば２本の固定ロッド３０を用いて一対の第１延出部１０と第２延出部２０とを相互固定し、一対の第１及び第２延出部１０、２０により１段の棚板を構成することができ、同様のオペレーションを各段毎に行うことにより、各段毎に棚板を構成することができる。この場合、各段毎に、５つまでのマガジン４０を横並びに搭載することができる。
【００３２】
また、例えば、図９（ｂ）に示すように、第１及び第２側板３、４との間に４つのマガジン４０を横並びで配置できるように第１及び第２側板３、４の対向距離を調整した状態では、図９（ａ）に示すように、同一の段の各孔部１５が各孔部２８と同軸上に位置するとともに、同一の段の各孔部１８が各孔部２５と同軸上に位置する。ここで、各孔部１５及び各孔部２８により前後方向に形成される列と、各孔部１８及び各孔部２５により前後方向に形成される列とは、横方向に離間している。そして、孔部１５、２８に１つの固定ロッド３０の棒状部３１を挿通し、孔部１８、２５に他の１つの固定ロッド３０の棒状部３１を挿通することができる。このように例えば２本の固定ロッド３０を用いて一対の第１延出部１０と第２延出部２０とを相互固定し、一対の第１及び第２延出部１０、２０により１段の棚板を構成することができ、同様のオペレーションを各段毎に行うことにより、各段毎に棚板を構成することができる。この場合、各段毎に、４つまでのマガジン４０を横並びに搭載することができる。
【００３３】
また、例えば、図１０（ｂ）及び図１１に示すように、第１及び第２側板３、４との間に３つのマガジン４０を横並びで配置できるように第１及び第２側板３、４の対向距離を調整した状態では、図１０（ａ）に示すように、同一の段の各孔部１５が各孔部２９と同軸上に位置するとともに、同一の段の各孔部１９が各孔部２５と同軸上に位置する。ここで、各孔部１５及び各孔部２９により前後方向に形成される列と、各孔部１９及び各孔部２５により前後方向に形成される列とは、横方向に離間している。そして、孔部１５、２９に１つの固定ロッド３０の棒状部３１を挿通し、孔部１９、２５に他の１つの固定ロッド３０の棒状部３１を挿通することができる。このように例えば２本の固定ロッド３０を用いて一対の第１延出部１０と第２延出部２０とを相互固定し、一対の第１及び第２延出部１０、２０により１段の棚板を構成することができ、同様のオペレーションを各段毎に行うことにより、各段毎に棚板を構成することができる。この場合、各段毎に、３つまでのマガジン４０を横並びに搭載することができる。
【００３４】
固定ロッド３０は、第１及び第２延出部１０、２０に対して後方から挿通されることが好ましく、これにより、固定ロッド３０のハンドル部３２が正面から見えないようにすることができ、商品陳列棚１００の前面の見栄えを良くすることができる。
【００３５】
なお、商品陳列棚１００の１段の高さ（上下に隣り合う棚板の上下間隔）は、マガジン４０にたばこ商品６０を搭載したときのマガジン４０の底面からたばこ商品６０の上面までの高さよりも十分に大きく設定されている。これにより、たばこ商品６０を搭載したマガジン４０を商品陳列棚１００から容易に引き出すことができる。
【００３６】
第１側板３及び第２側板４の外側の面には、例えば、商品のブランドイメージなどを表す装飾表示（例えば、図３に示すような「ＸＹＺタバコ」といった表示など）が印字された装飾表示部６が形成されていても良い。
【００３７】
図１乃至図３に示すように、商品陳列棚１００は、例えば、第１及び第２構造体１、２の前面に設けられる前面化粧パネル５０を更に備えている。この前面化粧パネル５０は、第１及び第２構造体１、２に対して着脱自在となっている。商品陳列棚１００の横幅の変更に合わせて、前面化粧パネル５０の横幅も変更できるようになっている。
【００３８】
具体的には、前面化粧パネル５０は、例えば、第１部分５１と、複数（例えば３つ）の第２部分５２と、により構成されている。第１部分５１の横幅は、商品陳列棚１００の最大横幅の半分の幅に設定されている。また、第２部分５２の横幅は、第１部分５１の横幅の１／３に設定されている。
そして、商品陳列棚１００の横幅を最大（マガジン４０六つ分）にしたときには、例えば、図２に示すように、第１部分５１と３つの第２部分５２とを横一列に並べて、商品陳列棚１００の前面に取り付ける。
商品陳列棚１００の横幅をマガジン４０五つ分にしたときには、例えば、第１部分５１と２つの第２部分５２とを横一列に並べて、商品陳列棚１００の前面に取り付ける。
商品陳列棚１００の横幅をマガジン４０五つ分にしたときには、例えば、第１部分５１と２つの第２部分５２とを横一列に並べて、商品陳列棚１００の前面に取り付ける。
商品陳列棚１００の横幅をマガジン４０四つ分にしたときには、例えば、第１部分５１と１つの第２部分５２とを横一列に並べて、商品陳列棚１００の前面に取り付ける。
商品陳列棚１００の横幅を最小（マガジン４０三つ分）にしたときには、例えば、第１部分５１を商品陳列棚１００の前面に取り付ける。
【００３９】
図１２は商品陳列棚１００の前面化粧パネル５０を構成する第１及び第２部分５１、５２の構造の例を示す図であり、このうち図１２（ａ）は第１及び第２部分５１、５２の側面図、図１２（ｂ）は第１部分５１の裏面図、図１２（ｃ）は第２部分５２の裏面図である。
【００４０】
図１２に示すように、第１部分５１は、平板状の本体部５３と、この本体部５３を第１及び第２構造体１、２に取り付けるための取付部５４と、を有している。本実施形態では、クリップ構造の取付部５４を用いて本体部５３を取り付ける例を説明する。
【００４１】
例えば、取付部５４は、本体部５３の上端部より後方に延出する後方延出部５５と、本体部５３の裏面に回動可能に軸支された回動部５６と、この回動部５６を所定の回動方向に付勢する付勢部５７と、を有している。
後方延出部５５は、平板状に形成され、水平に配置されている。
回動部５６は、例えば、後方延出部５５との協働によって第１及び第２構造体１、２の少なくとも何れか一方の前端部を挟持する挟持部５６ｂと、この挟持部５６ｂと一体的に設けられ、付勢部５７からの付勢力を受ける受部５６ａと、を有している。挟持部５６ｂと受部５６ａとは、それぞれ平板状に形成され、挟持部５６ｂの板面と受部５６ａの板面とが所定の角度（例えば、４５度程度）をなすように、各々の一端部が相互に固定されている。この一端部は、本体部５３の裏面に設けられた左右一対の支持ブラケット５９間に架設され、左右方向に延在する回動軸５９ａにより、当該回動軸５９ａを中心として回動可能に軸支されている。なお、図１２（ａ）では一方の支持ブラケット５９のみが視認でき、この一方の支持ブラケット５９の奥に、他方の支持ブラケット５９は隠れている。
付勢部５７は、本体部５３の裏面と受部５６ａとの間に介装された弾性体であり、受部５６ａを本体部５３から遠ざかる方向に付勢している。具体的には、付勢部５７は、ねじりバネであり、弾性体からなる線状材を巻回することにより構成されている。このねじりバネは、線状材を巻回してなる巻回部５７ａと、この巻回部５７ａより延出した一対の延出部５７ｂ、５７ｃと、を有している。延出部５７ｂは、巻回部５７ａと一連の線状材の一端部であり、延出部５７ｃは、この線状材の他端部である。
ここで、付勢部５７は、その巻回部５７ａが図示しない軸支部によって軸支されることで、本体部５３と受部５６ａとの間に介装されていても良いし、或いは、延出部５７ｂが本体部５３に、延出部５７ｃが受部５６ａに、それぞれ固定されることによって、本体部５３と受部５６ａとの間に介装されていても良い。
付勢部５７は、図示しない保持部によって、本体部５３と受部５６ａとの間に保持され、この状態で、延出部５７ｂは本体部５３の裏面に接し、延出部５７ｃは受部５６ａに接して該受部５６ａを本体部５３から遠ざかる方向に付勢している。
なお、後方延出部５５の下面、並びに、挟持部５６ｂにおいて後方延出部５５との協働で第１及び第２構造体１、２を挟持する面には、それぞれゴムなどの弾性体からなるシート状部材５８が設けられていることが好ましい。
第１部分５１の上端部の左右両端部には、このような構造の取付部５４がそれぞれ設けられ、同様に、第２部分５２の上端部の左右両端部にも取付部５４がそれぞれ設けられている。
【００４２】
例えば、オペレータが左右の取付部５４の受部５６ａと本体部５３とを左右それぞれの手の人差し指と親指とで摘み、付勢部５７による付勢に抗して受部５６ａと本体部５３とを近づけることにより、挟持部５６ｂと後方延出部５５との間隔を広げることができ、それらの間に第１構造体１、第２構造体２の前端部を入り込ませることができる。そして、その摘む力を弱めることにより、挟持部５６ｂと後方延出部５５との間隔を狭めて、これら挟持部５６ｂ及び後方延出部５５により第１構造体１、第２構造体２の前端部を挟持させ、第１部分５１、第２部分５２を第１構造体１、第２構造体２に取り付けることができる。
具体的には、例えば、第１部分５１については、一方の取付部５４により第１延出部１０の連結部１２の前端部を挟持させ、他方の取付部５４により第２延出部２０の最前に位置する櫛歯部２１を挟持させることにより、第１及び第２構造体１、２に取り付けることができる。また、第２部分５２については、左右双方の取付部５４により第２延出部２０の最前に位置する櫛歯部２１を挟持させることにより、第２構造体２に取り付けることができる。
【００４３】
図１及び図２に示すように、前面化粧パネル５０の前面には、例えば、商品のブランドイメージなどを表す装飾表示（例えば、図１及び図２に示すような「ＸＹＺタバコ」といった表示など）が印字された装飾表示部５が形成されている。
なお、例えば、図１に示されるように、前面化粧パネル５０が取り付けられる段には、マガジン４０を搭載しないことが挙げられる。
【００４４】
以上のような実施形態によれば、固定ロッド３０によって同一の段の第１及び第２延出部１０、２０を相互固定することにより、第１及び第２側板３、４の対向距離を複数の距離のなかから選択された距離で位置決めできるので、商品陳列棚１００の横幅（第１及び第２側板３、４の対向距離）を容易に変更することができる。
また、棒状部３１を第１及び第２延出部１０、２０に挿通することにより、容易に、第１及び第２延出部１０、２０を相互固定することができる。
更に、棒状部３１を第１及び第２延出部１０、２０から抜き取ることにより、容易に、第１及び第２延出部１０、２０の相互固定状態を解除し、商品陳列棚１００の横幅の変更を行うことができる。つまり、商品陳列棚１００の横幅を変更する操作の操作性が良い。
【００４５】
図１３は変形例に係る商品陳列棚１００の孔部１５〜１９、２５〜２９を示す平面図である。
図１３に示すように、この変形では、最前に位置する櫛歯部１１の孔部１５〜１９は、櫛歯部１１を前後に貫通していない。すなわち、孔部１５〜１９は、櫛歯部１１の後方には開放しているが、前方には開放していない。また、最前に位置する櫛歯部２１には、孔部２５〜２９が形成されていない。このため、商品陳列棚１００の正面から孔部１５〜１９、２５〜２９を視認しにくくすることができ、上記の実施形態と比べて商品陳列棚１００の見栄えを向上させることができる。
【００４６】
なお、上記においては、棒状部３１が第１及び第２延出部１０、２０に対して前後方向に（具体的には後方から）挿通される例を説明したが、棒状部３１が水平面に含まれる方向であって前後方向と交差する方向に延在するようにして、第１及び第２延出部１０、２０に対して挿通されるようにしても良い。
或いは、棒状部３１が第１及び第２延出部１０、２０の板面方向と直交する方向に挿通されるようにしても良い。この場合、棒状部３１は、例えば、同一段の第１及び第２延出部１０、２０のみならず、複数の段の第１及び第２延出部１０、２０にも挿通されることが挙げられる。
以下、参考形態の例を付記する。
１．互いに対向して配置された第１及び第２側板と、
前記第１側板から前記第２側板に向けて延出する複数段の第１延出部と、
前記第２側板から前記第１側板に向けて延出する複数段の第２延出部と、
同一の段の前記第１及び第２延出部を相互固定することにより、前記第１及び第２側板の対向距離を複数の距離のなかから選択された距離で位置決めする固定部材と、
を有し、
前記固定部材は、前記第１及び第２延出部に挿通されることにより前記第１及び第２延出部を相互固定する棒状部を有することを特徴とする商品陳列棚。
２．前記第１及び第２延出部の各々には、複数の孔部が形成され、
前記第１及び第２側板の対向距離が前記複数の距離の各々となった状態で、前記第１延出部の何れかの前記孔部と前記第２延出部の何れかの前記孔部とが同軸上に位置し、これら孔部に前記棒状部を挿通可能となることを特徴とする１．に記載の商品陳列棚。
３．前記第１延出部の各段と、前記第２延出部の各段とは、同一の高さに位置し、
前記第１及び第２延出部は、それぞれ櫛歯状に形成され、
前記第１延出部の個々の櫛歯部と前記第２延出部の個々の櫛歯部とが前後方向において交互に位置していることを特徴とする１．又は２．に記載の商品陳列棚。
４．前記第１及び第２側板の対向距離を変化させる際に、前記第１及び前記第２延出部の隣り合う前記櫛歯部どうしが摺動することを特徴とする３．に記載の商品陳列棚。
５．前記棒状部は、前記第１及び第２延出部に対して前後方向に挿通されることを特徴とする１．乃至４．の何れか一項に記載の商品陳列棚。
６．前記第１及び第２延出部がそれぞれ板状に形成されていることを特徴とする１．乃至５．の何れか一項に記載の商品陳列棚。
７．各段の前記第１及び第２延出部毎に、複数本の前記棒状部を有し、
横方向に離間した複数の位置で、それぞれ前記棒状部を前記第１及び第２延出部に挿通可能であることを特徴とする１．乃至６．の何れか一項に記載の商品陳列棚。
【符号の説明】
【００４７】
１ 第１構造体
２ 第２構造体
３ 第１側板
４ 第２側板
５ 装飾表示部
６ 装飾表示部
１０ 第１延出部
１１ 櫛歯部
１１ａ 先端部
１２ 連結部
１２ａ 側面
１５ 孔部
１６ 孔部
１７ 孔部
１８ 孔部
１９ 孔部
２０ 第２延出部
２１ 櫛歯部
２１ａ 先端部
２２ 連結部
２２ａ 側面
２５ 孔部
２６ 孔部
２７ 孔部
２８ 孔部
２９ 孔部
３０ 固定ロッド
３１ 棒状部
３２ ハンドル部
３３ 圧入固定部
４０ マガジン
５０ 前面化粧パネル
５１ 第１部分
５２ 第２部分
５３ 本体部
５４ 取付部
５５ 後方延出部
５６ 回動部
５６ａ 受部
５６ｂ 挟持部
５７ 付勢部
５７ａ 巻回部
５７ｂ 延出部
５７ｃ 延出部
５８ シート部材
５９ 支持ブラケット
５９ａ 回動軸
６０ たばこ商品
７１ 後端部
７２ 孔本体
１００ 商品陳列棚
【図１】
0005727279.tif 000002
【図２】
0005727279.tif 000003
【図３】
0005727279.tif 000004
【図４】
0005727279.tif 000005
【図５】
0005727279.tif 000006
【図６】
0005727279.tif 000007
【図７】
0005727279.tif 000008
【図８】
0005727279.tif 000009
【図９】
0005727279.tif 000010
【図１０】
0005727279.tif 000011
【図１１】
0005727279.tif 000012
【図１２】
0005727279.tif 000013
【図１３】
0005727279.tif 000014